(57)【要約】【課題】本発明は、携帯電話機等、電話機能を有する携帯端末装置に関し、カメラモジュール取付けの工夫により多機能化と小型化を高い次元で両立させる。【解決手段】シャーシと、レンズおよび撮像素子を備えたカメラモジュール１２６と、シャーシに重ねられてそのシャーシに固定される回路基板と、カメラモジュールを支持して回路基板にその回路基板とともにシャーシに固定されるカメラホルダ１５０であって、カメラモジュールが覗く開口と、その開口を取り巻いて立設された、カメラモジュール側面を取り巻いて支持する壁部とを有するカメラホルダとを備えた。【選択図】        図７
2006060396.tif 000002
【特許請求の範囲】
【請求項１】
電話機能を有する携帯端末装置において、
シャーシと、
レンズおよび撮像素子を備えたカメラモジュールと、
前記シャーシに重ねられて該シャーシに固定される回路基板と、
前記カメラモジュールを支持して前記回路基板とともに前記シャーシに固定されるカメラホルダとを備えたことを特徴とする携帯端末装置。
【請求項２】
前記回路基板は、前記カメラモジュール配置用の窓部が形成されたものであり、前記カメラホルダは、前記カメラモジュールを支持し該カメラモジュールを前記窓部から覗く位置に配置して該回路基板とともに前記シャーシに固定されるものであることを特徴とする請求項１記載の携帯端末装置。
【請求項３】
前記シャーシは、前記回路基板が該シャーシに重ねられた状態において、前記カメラホルダに支持されたカメラモジュールの背面を支持するものであることを特徴とする請求項１記載の携帯端末装置。
【請求項４】
前記カメラホルダは、前記カメラモジュールが覗く開口と、該開口を取り巻いて立設された、前記カメラモジュール側面を取り巻いて支持する壁部とを有するものであることを特徴とする請求項１記載の携帯端末装置。
【請求項５】
前記シャーシは、前記回路基板が該シャーシに重ねられた状態における前記カメラモジュールの背面部分に広がるフレキシブル基板を支持するものであることを特徴とする請求項２記載の携帯端末装置。
【請求項６】
前記シャーシは、前記回路基板が重ねられる側の面に対する裏側の面に、画像を表示する表示画面と、操作ボタンによりオン、オフされる接点が搭載されたものであることを特徴とする請求項１記載の携帯端末装置。
【発明の詳細な説明】
【技術分野】
【０００１】
本発明は、携帯電話機等、電話機能を有する携帯端末装置に関する。
【背景技術】
【０００２】
近年、携帯電話機等の携帯端末装置が目ざましく発展してきており、益々の多機能化、益々の小型、軽量化が求められている。
【０００３】
多機能化の面では、近年では携帯電話機に高画素のデジタルカメラが搭載されていることが当たり前のようになってきている。例えば、特許文献１には携帯端末装置に互いに反対方向を向いた２台のカメラを搭載する技術が開示されている。
【特許文献１】特開２００４−６４５７５号公報
【発明の開示】
【発明が解決しようとする課題】
【０００４】
ここで、携帯電話機等の携帯端末装置には一層の小型化、軽量化も求められており、そのために部品の小型化、高密度実装化が進んでいる。その場合に、そのような小型化高密度実装化が進んだ携帯電話機等にカメラをどのように搭載するかが問題となる。
【０００５】
携帯電話機等に搭載されたカメラは、レンズと撮像素子とが組み込まれたカメラモジュール（あるいはカメラユニット）と称される形態をなしており、このカメラモジュールは、レンズと撮像素子の相対位置が高精度に保持される必要があるなど精密部品であるため、そのカメラモジュールを携帯電話機内に搭載するに当っては、シャーシ（あるいはフレーム）と称される、典型的には金属ダイキャスト製の、容易に変形等を生じない強い強度を持った板状の部材であって、しかもその部材にカメラモジュールをしっかりと固定するための専用の枠を形成して、その枠にカメラモジュールを支持させる構造となっている。前掲の特許文献にもカメラモジュールをシャーシに固定する構造が示されている。
【０００６】
ところが多機能化進み、そのシャーシにも、例えば液晶表示画面が２つ搭載され、フレキシブル基板も固定されるなど、様々な部品が組み込まれるようになってきており、このためシャーシにカメラモジュールを搭載するための枠を設けると、その枠が、例えばフレキシブル基板などの配線の邪魔になるなど、シャーシにカメラモジュールを固定するのが難しくなってきている。小型化の要請がある中でシャーシを大型化することは不可能であり、シャーシ自体も小型化の傾向にある。
【０００７】
本発明は、上記事情に鑑み、カメラモジュールの取付けが工夫された、携帯電話機等の携帯端末装置を提供することを目的とする。
【課題を解決するための手段】
【０００８】
上記目的を達成する本発明の携帯端末装置は、電話機能を有する携帯端末装置において、
シャーシと、
レンズおよび撮像素子を備えたカメラモジュールと、
シャーシに重ねられてそのシャーシに固定される回路基板と、
カメラモジュールを支持して回路基板とともにシャーシに固定されるカメラホルダとを備えたことを特徴とする。
【０００９】
本発明の携帯端末装置は、カメラモジュールを支持して回路基板とともにシャーシに固定されるカメラホルダを備えているため、カメラモジュールは、カメラモジュールをシャーシに直接固定する場合に必要となるシャーシに設けられる枠などが不要となり、シャーシ上にフレキシブル基板等が広がっていても高精度に固定することが可能である。
【００１０】
ここで、本発明の携帯端末装置において、上記回路基板は、カメラモジュール配置用の窓部が形成されたものであり、上記カメラホルダは、カメラモジュールを支持しカメラモジュールをその回路基板の開口から覗く位置に配置してその回路基板とともにシャーシに固定されるものであってもよい。
【００１１】
ここで、上記窓部は、上記回路基板に設けられた開口であってもよく、あるいは切欠き等であってもよい。
【００１２】
上記回路基板に上記窓部を設けることによりカメラモジュールのレンズ前面の視界を容易に確保することができる。
【００１３】
また、本発明の携帯端末装置において、上記シャーシは、回路基板がそのシャーシに重ねられた状態において、カメラホルダに支持されたカメラモジュールの背面を支持するものであることが好ましい。
【００１４】
シャーシがカメラモジュールの背面を支持する構造とすることにより、カメラモジュールはカメラホルダに支持されるとともにその背面がシャーシによっても支持され一層確実に固定される。
【００１５】
また、本発明の携帯端末装置において、上記カメラホルダは、カメラモジュールが覗く開口と、その開口を取り巻いて立設された、カメラモジュール側面を取り巻いて支持する壁部とを有するものであることが好ましい。
【００１６】
この壁部を設けることにより、カメラモジュールをカメラホルダに確実に固定することができるとともに、カメラを衝撃から保護する堅牢性を高めることができる。
【００１７】
また、本発明の携帯端末装置において、上記シャーシは、回路基板がシャーシに重ねられた状態におけるカメラモジュールの背面部分に広がるフレキシブル基板を支持するものであってもよく、上記シャーシは、回路基板が重ねられる側の面に対する裏側の面に、画像を表示する表示画面と、操作ボタンによりオン、オフされる接点が搭載されたものであってもよい。
【００１８】
本発明の携帯端末装置は、カメラモジュールをシャーシに直接固定する代わりにカメラホルダを介在させて固定しているため、シャーシにはフレキシブル基板や接点等を配置することができる。
【発明の効果】
【００１９】
以上、説明したとおり、本発明によればカメラモジュールをシャーシに直接固定する必要がなくなり、多機能化と小型化を高い次元で両立することができる。
【発明を実施するための最良の形態】
【００２０】
以下、本発明の実施形態について説明する。
【００２１】
図１〜図４は、本発明の携帯端末装置の一実施形態である携帯電話機の外観を示す斜視図である。
【００２２】
ここに示す携帯電話機は、折り畳み式のものであり、図１は、開いた状態の内側を示す斜視図、図２は、開いた状態の外側を示す斜視図、図３は閉じた状態の上側筐体を示す斜視図、図４は、閉じた状態の下側筐体を示す斜視図である。
【００２３】
携帯電話機１０は、互いに回動自在に軸支された上側筐体１００と下側筐体２００とから構成されている。
【００２４】
上側筐体１００の内側の面には、図１に示すように、内部に配置された液晶表示画面を視認するための大きな表示窓１０１が中央に広がっており、その表示窓１０１の下側には３つの押ボタン１０２が配列されている。また、その表示窓１０１の上側には、そこに耳を当てがって音声を聞き取るための受話口１０３と、その横に、内側を向いたデジタルカメラ（ここでは、このデジタルカメラを、内側に向いていることから「インカメラ」と称する）が覗く撮影窓１０４が設けられている。
【００２５】
また、この上側筐体１００の外側の面には、図２，図３に示すように、その中央部に、内部に配置されたもう１つの液晶表示画面を視認するための表示窓１０５が備えられており、その表示窓１０５よりも、下側筐体２００と連結されたヒンジ側に、もう１つのデジタルカメラ（ここでは、このデジタルカメラを、外側に向いていることから「アウトカメラ」と称する）が覗く撮影窓１０６と、内部のＬＥＤが発光することにより点灯して電話着信等を知らせる点灯部１０７が配備されている。
【００２６】
また、下側筐体２００の内側の面には、図１に示すような、配列された多数の押ボタン２０１と、それらの押ボタン２０１の下側に、ユーザの声を受けて電気信号に変換するマイクロホンが内部に配備された送話口２０２が設けられている。さらに、その下側筐体２００の、上側筐体１００と連結したヒンジ部近傍には、内部に配備されたスピーカからの音声を放つ発音口２０３が設けられている。ここで、後述するように、この発音口２０３の奥に配備されているスピーカは、下側筐体２００の外側を向いており、従って、この発音口２０３は、そのスピーカの背面側に設けられた発音口である。
【００２７】
また、下側筐体２００の外側の面には、図２，図４に示すように、スピーカ前面からの音声を放つもう１つの発音口２０４が設けられており、また、バッテリが収容されたバッテリ収容部２０５が設けられている。
【００２８】
図５，図６は、図１〜図４に示す携帯電話機の上側筐体の分解斜視図である。
【００２９】
この上側筐体１００は、内側カバー１１０と、組立体１２０と、外側カバー１３０とで構成されており、多数の部品が組み込まれた組立体１２０を内側カバー１１０と外側カバー１３０とで挟み込む構造となっている。
【００３０】
図５に示すように、組立体１２０には、内側カバー１１０の表示窓１０１の内側の位置に液晶表示画面１２１が備えられており、内側カバー１１０の受話口１０３の内側に相当する位置には、音声信号の入力を受けて発音するレシーバ１２３が配備され、内側カバー１１０の撮影窓１０４の内側に相当する位置にはインカメラ１２４が配備されている。さらに、組立体１２０の内側カバー１１０に備えられた３つの押ボタン１０２の内側に相当する位置には、押ボタン１０２の押下によりオン／オフする接点１２２が備えられている。
【００３１】
また、図６に示すように、組立体１２０の外側カバー１３０の表示窓１０５、撮影窓１０６、および点灯部１０７の内側に相当する位置には、それぞれ、液晶表示画面１２５、アウトカメラ１２６、およびＬＥＤ１２７が配備されている。
【００３２】
組立体１２０には、上記の各部品の他にも多数の電子回路部品等が配備されている。
【００３３】
次に、その上側筐体１００を構成する組立体１２０の構造について、アウトカメラ１２６の取付構造を中心に説明する。
【００３４】
図７は、アウトカメラとアウトカメラホルダを示す斜視図である。ここで、図７（Ａ）は、アウトカメラとアウトカメラホルダを別々に示した斜視図、図７（Ｂ）はアウトカメラをアウトカメラホルダに収容した状態を示した斜視図である。
【００３５】
アウトカメラ１２６には、図示しないレンズと撮像素子が組み込まれており、そのアウトカメラ１２６には、その撮像素子で得られた画像信号を伝達するための配線を有するフレキシブル基板１４１が接続されており、さらにそのフレキシブル基板１４１にはコネクタ１４２が搭載されている。このアウトカメラ１２６は、この図７では下向きになっている。
【００３６】
また、アウトカメラホルダ１５０には、その中央に、アウトカメラ１２６が覗く開口１５１が設けられており、その開口１５１を取り巻いて壁部１５２が立設されている。アウトカメラ１２６は、図７（Ｂ）に示すように、その壁部１５２に囲まれた部分に収容され、その壁部１５２がアウトカメラ１２６側面を取り巻いて支持する構造となっている。また、このカメラホルダ１５０は、両側に２本の腕部１５３が延びておりそれら２本の腕部１５３の先端に取付穴１５４が設けられている。
【００３７】
図８は、アウトカメラおよびアウトカメラホルダからなるカメラ組立体と回路基板とを示す斜視図である。図８（Ａ）は、アウトカメラとアウトカメラホルダとからなるカメラ組立体と、回路基板とを別々に示した斜視図、図８（Ｂ）は、カメラ組立体を回路基板上に組み込んだ状態を示した斜視図である。
【００３８】
回路基板１６０には、アウトカメラ配置用の開口１６１と取付穴１６２，１６３，１６４と、位置決め用穴１６５が設けられている。
【００３９】
尚、回路基板１６０には、開口１６１に代えて、例えばその開口１６１が回路基板１６０の一辺まで広がった切欠き等が形成されていてもよい。ただし、ここでは、回路基板１６０には開口１６１が形成されているものとして説明を続ける。
【００４０】
ここで、取付穴１６２は、カメラ組立体１４０を、アウトカメラ１２６が開口１６１から覗くように配置したときに、アウトカメラホルダ１５０の取付穴１５４が重なる位置に設けられている。
【００４１】
また、フレキシブル基板１２６は、カメラ組立体１４０を回路基板１６０上に配置するにあたり、図８（Ａ）に矢印ｘで示すように、開口１６１を潜らせ回路基板１６０の裏側を通して配置される。
【００４２】
図９は、回路基板上に配置されたカメラ組立体を示す平面図、図１０は、図９に示す矢印Ｂ−Ｂに沿う断面図である。
【００４３】
図１０には、アウトカメラ１２６から延びるフレキシブル基板１４１が回路基板１６０の開口１６１を潜り回路基板１６０の裏面を通っている様子が示されている。
【００４４】
図１１は、カメラ組立体が搭載された状態の回路基板とその回路基板が固定されるシャーシを示す図であり、図１１（Ａ）はその回路基板とシャーシを別々に示した図、図１１（Ｂ）はシャーシに回路基板を搭載した組立体を示した図である。
【００４５】
また図１２は、シャーシに回路基板を搭載した組立体の斜視図である。
【００４６】
シャーシ１７０はマグネシウム合金のダイキャストで作られている。このシャーシ１７０には、壁１７１が立設しており、また、ネジ穴１７２，取付穴１７３，ネジ穴１８１、および位置決め用突起１８２が設けられている。また、このシャーシ１７０には、表裏面に貫通する細長いスリット１７４が設けられている。
【００４７】
このシャーシ１７０の、図１１（Ａ）に示す面に対する裏側の面には、図５に示すように３つの接点１２２が備えられており、その３つの接点１２２に接続されたフレキシブル基板１７５がそのスリット１７４を通ってシャーシ１７０の図１１に示す側の面にまで広がっている。また、このフレキシブル基板１７５は、スリット１７４を通ることなく、回路基板１６０側にも延びている。
【００４８】
さらに、このシャーシ１７０には、レシーバ１２３（図５参照）を固定するためのレシーバ固定部１７６、インカメラ（図５参照）を配置するインカメラ配置部１７７、および、後述する、そのシャーシ１７０の本体部分から突出した庇部１７８が設けられている。
【００４９】
回路基板１６０は、図１１（Ａ）に示す矢印のように、図１１（Ａ）に示す側の面が、シャーシ１７０の、やはり図１１（Ａ）に示す側の面に接する向きに、シャーシ１７０に重ねられる。シャーシ１７０に設けられた２つのネジ穴１７２は、回路基板１６０に設けられる２つの取付穴１６２およびアウトカメラホルダ１５０に設けられた２つの取付穴１５４と重なる位置に設けられており、またシャーシ１７０に設けられた取付穴１７３、ネジ穴１８１、および位置決め用突起１８２は、回路基板１６０に設けられた、それぞれ、取付穴１６３、取付穴１６４、および位置決め用穴１６５に対応しており、このシャーシ１７０に回路基板が重ねられると、回路基板１６０の位置決め用穴１６５にシャーシ１７０の位置決め用突起１８２が入り込み、図１１（Ｂ）に示すネジ１８３，１８４で、その回路基板１６０がシャーシ１７０にネジ止めされる。このとき、アウトカメラホルダ１５０も回路基板１６０とともにシャーシ１７０にネジ止めされる。そのアウトカメラホルダ１５０にはめ込まれたアウトカメラ１２６は、その背面が、シャーシ１７０に、フレキシブル基板１７５を間に挟んだ状態で支持される。このように、アウトカメラ１２６は、アウトカメラホルダ１５０に支持されるとともにシャーシ１７０にも直接に支持されて、アウトカメラ１２６をシャーシ１７０に直接固定した場合と同程度に確実に固定される。ここで、アウトカメラホルダ１５０の取付穴１５４の寸法を少し大き目にしておき、アウトカメラ１２６の取付位置や姿勢（角度）を微調整できるようにしておいてもよい。
【００５０】
回路基板１６０の、シャーシ１７０にネジ止めされた取付穴１６２，１６４以外の取付穴１６３、および、シャーシ１７０の取付穴１７３，１７９のうちの取付穴１７３は、回路基板１６０とシャーシ１７０とが重ねられた後、内側カバー１１０のネジ穴１０９（図６参照）にネジ止めされ、シャーシ１７０の取付穴１７９は、内側カバー１１０の取付穴１０８（図５参照）から挿入されるネジにより外側カバー１３０のネジ穴１３９にネジ止めされる。
【００５１】
図１１，図１２には、レシーバ１２３やインカメラ１２４（図５参照）は示されていないが、レシーバ１２３はシャーシ１７０のレシーバ固定部１７６に固定され、インカメラ１２４は、シャーシ１７０のインカメラ配置部１７７に配置される。このインカメラ配置部１７７は、中央にインカメラが覗く開口１７７ａが設けられるとともにその周辺に立設した壁１７７ｂが形成されており、インカメラ１２４は、このシャーシ１７０のインカメラ配置部１７７に配置されることにより、シャーシ１７０に直接に強固に保持される。
【００５２】
また、図１１，図１２に示されていないが、シャーシ１７０の壁１７１に囲まれた領域には、そのシャーシ１７０に重ねられた回路基板１６０の上から外側カバー１３０側に向いた液晶表示画面（図６参照）が配置される。
【００５３】
このようにして、シャーシ１７０に回路基板１６０が重ねられ、さらに必要な部品が搭載されて、図５，図６に示す組立体１２０が構成される。
【００５４】
この組立体１２０は、前述したとおり、内側カバー１１０と外側カバー１３０とで挟まれた状態に組み立てられ、この携帯電話機の上側筐体１００が構成される。
【００５５】
図１３は、図５，図６に示す組立体１２０の内側カバー１１０側を向いた面を示す平面図、図１４は、図３に示す円Ａ内部の拡大平面図である。
【００５６】
図１３には、シャーシ１７０に固定された、液晶表示画面１２１、３つの接点１２２、レシーバ１２３、およびインカメラ１２４などが示されている。
【００５７】
レシーバ１２３からは、レシーバ１２３に音声信号を伝達するためのリード線１８９が延びており、そのリード線１８９の先端にコネクタ１８８が連結されている。そのコネクタ１８８は、回路基板１６０上のコネクタ１６９に結合されている。ここでリード線１８９は、その先端のコネクタ１８８を回路基板１６０上のコネクタ１６９に嵌合する組立作業の便宜のため、ある程度余裕のある長さとなっており、このリード線１８９が、仮に、液晶表示画面１２１の上に乗ったままその後の組立作業が行われると組立不良となる。そこでここでは、レシーバ１２３を固定するシャーシ１７０に、リード線１８９の配線位置を規制する、突出した庇部１７８を設けておき、リード線１７８をその庇部１７８で押える構造としている。このような庇部１７８を設けることにより、リード線１８９を、組立ての邪魔にならない正しい位置に配線することができる。
【００５８】
次に、ここで説明している携帯電話機１０の下側筐体２００（図１，図２参照）の構造について説明する。
【００５９】
図１５，図１６は、図１〜図４に示す携帯電話機の下側筐体の分解斜視図である。
【００６０】
この下側筐体２００も、これまで説明してきた上側筐体１００（図５，図６参照）と同様、内側カバー２１０と、組立体２２０と、下側カバー２３０とで構成されており、多数の部品が組み込まれた組立体２２０を内側カバー２１０と外側カバー２３０とで挟み込む構造となっている。
【００６１】
組立体２２０は全体として板状をなしており、内側カバー２１０に備えられた多数の押ボタン２０１のそれぞれに対応した位置に押ボタン押下によりオンとなる接点２２１が配置されており、また、それらの押ボタン２０１を点灯させるための多数のＬＥＤ２２２が分散配置されている。それら多数のＬＥＤ２２２のうちの１つのＬＥＤ２２２ａは、多数の押ボタン２０１のうちの従前の電話の受話器を持ち上げることに相当する通話ボタン２０１ａを点灯させるもの、別の１つのＬＥＤ２２２ｂは、多数の押ボタン２０１のうちの通話ボタン２０１ｂを点灯させるものである。また、分散配置された多数のＬＥＤ２２２は、それらが一斉に発光することにより多数の押ボタン２０１を一斉に点灯させるものである。
【００６２】
尚、本実施形態では、多数の押ボタン２０１を一斉に点灯させるにあたり、通話ボタン２０１ａ，２０１ｂのみを点灯させるＬＥＤ２２２ａ，２２２ｂを発光させなくてもそれらの通話ボタン２０１ａ，２０１ｂを含む多数の押ボタン２０１が一斉に点灯するように、ＬＥＤ２２２の配置が定められており、本実施形態では、多数の押ボタン２０１を一斉に点灯させるにあたっては、ＬＥＤ２２２ａ，２２２ｂを除くＬＥＤ２２２が発光する。ただし、多数の押ボタン２０１を一斉に点灯させる際も通話ボタン２０１ａ，２０１ｂの点灯はＬＥＤ２２２ａ，２２２ｂに担わせることとし、多数の押ボタン２０１の一斉点灯にあたり、ＬＥＤ２２２ａ，２２２ｂを含むＬＥＤ２２２を発光させるようにＬＥＤを配置してもよい。
【００６３】
ここで、２つの通話ボタン２０１ａ，２０１ｂのうちの一方の通話ボタン２０１ａは、通常の音声のみの通話を行うときに押下される押ボタンであり、もう一方の通話ボタン２０１ｂは、画像通信を伴うテレビ電話を行なうときに押下される押ボタンである。図１５には、組立体２２０の、テレビ電話用の通話ボタン２０１ｂに対応する部分を取り巻くように、遮光部材２２３が配備されている。これは、ＬＥＤ２２２ｂが発光したときに通話ボタン２０１ｂを点灯させるとともに、そのＬＥＤ２２２ｂからの光が洩れて他の押ボタンが点灯するのを防ぐためのものである。詳細は後述する。
【００６４】
また、この組立体２２０には、スピーカ（図１６参照）の背面からの音声をこの組立体２２０から放つための開口２２５が形成されている。この開口２２５から放たれた音声は内側カバー２１０に設けられた発音口２０３からこの携帯電話機外部に出力される。
【００６５】
また、図１５に示す外側カバー２３０にはバッテリ収容のための開口２３３が形成されており、また、スピーカ（図１６参照）の前面からの音声を筐体外部に放つための発音口２０４（図２，図４，図１６参照）の内側にメッシュ２３１が貼付されている。このメッシュ２３１は、スピーカからの音声を発音口２０４から外部に放つとともに外部の塵埃が筐体内部に入るのを防ぐ役割りを担っている。
【００６６】
また、そのメッシュ２３１が貼られた発音口２０４（図２，図４，図１６参照）を取り囲むようにガスケット２３２が貼付されている。このガスケット２３２はスピーカの周囲からの音の洩れを防ぐためのものである。このガスケット２３２の詳細についても後述する。
【００６７】
また、図１６に示すように、内側カバー２１０の内側の面には、発音口２０３（図１，図１５参照）の内側に貼付されたメッシュ２１１とそのメッシュ２１１を取り囲んで貼付されたガスケット２１２が配備されている。このガスケット２１２は、図１５に示す組立体２２０の開口２２５の周囲を塞ぎ、その開口２２５から放たれた音声が発音口２０３以外の部分に洩れるのを防いでいる。
また、この内側カバー２１０にはネジ止め用のネジ穴２１３が設けられている。
【００６８】
また、組立体２２０には、図１６に示すように、スピーカ２２４が、そのスピーカ２２４の前面が露出した状態に取り付けられておりまた、バッテリ（図示せず）が収容されるバッテリ収容部２２５が設けられている。さらに、この組立体２２０には、取付穴２２６が設けられている。
【００６９】
ここで、この組立体２２０に取り付けられているスピーカ２２４は、ほぼ円形の発音部２２４ａと、その発音部２２４ａに音声信号を伝達するリード線２２４ｃが接続された接続部２２４ｂとを有する。また、組立体２２０の、スピーカ２２４を収容するスピーカ収容部２２７の形状も、このスピーカ２２４の形状に合わせて、スピーカ２２４の円形の発音部２２４ａを収容する円形の部分２２７ａと、スピーカ２２４の接続部２２４ｂを接続する矩形の部分２２７ｂとが繋がった形状を有する。
【００７０】
さらには、図１６に示すように、外側カバー２３０には、これまで説明した発音口２０４、およびバッテリ収容のための開口２３３が設けられており、さらに取付穴２３４、およびバッテリ充電用の電極２３５が設けられている。内側カバー２１０、組立体２２０、および外側カバー２３０を組み立てるには、組立体２２０を内側カバー２１０と外側カバー２３０とで挟み、外側カバー２３０の取付穴２３４側から、その取付穴２３４および組立体２２０の取付穴２２６にネジが挿入され、内側カバー２１０のネジ穴２１にネジ止めされる。
【００７１】
図１７は、下側筐体２００（図１，図２参照）を構成する外側カバー２３０（図５，図６参照）の内側の面を示す平面図である。
【００７２】
ここには、前述したように、スピーカ２２４（図１６参照）の発音部２２４ａの前面が宛てがわれる部分にメッシュ２３１が貼付されており、そのメッシュ２３１の周囲には、ガスケット２３２が貼付されている。このガスケット２３２は、円環状の部分２３２ａと、その円環から突出した矩形状の部分２３２ｂとを有する。ガスケット２３２の円環状の部分２３２ａは、スピーカ２２４の発音部２２４ａ（図１６参照）の周囲を覆い、その発音部２２４ａから発せられた音声がメッシュ２３１が貼付された発音口２０４（図１６参照）以外の部分に洩れることによる音圧の低下や共振等による不決な音の発生を防止するためのものである。
【００７３】
また、ガスケット２３２の矩形状の部分２３２ｂは、図１６に示すスピーカ収容部２２７の、スピーカ２２４の接続部２２４ｂが配置された矩形部分２２７ｂを塞ぎ、円環状の部分２３２ａと共同して、スピーカ２２４の背面に形成されている空間（後述する）と発音部２２４ａの前面とを音響的に分離する役割りを担っている。詳細は後述する。
【００７４】
また、この図１７には、これまでにも説明したとおり、バッテリを収容するための開口２３３やネジ止め用の取付穴２３４が示されている。
【００７５】
図１８は、下側筐体を示す平面図、図１９は、図１８に示す矢印Ａ−Ａに沿う断面図、図２０は、図１８に示す矢印Ｂ−Ｂに沿う断面図である。
【００７６】
図１８は、図１９，図２０の断面のラインを示すための図であり、下側筐体の内側の面についての重複説明は省略する。以下では発音口２０３に関連した構造について説明する。
【００７７】
図１９，図２０に示すように、スピーカ２２４の発音部２２４ａは発音口２０４側を向いており、その発音口２０４とスピーカ２２４との間には、図１７に示す、円環状の部分２３２ａと矩形状の部分２３２ｂとからなるガスケット２３２が挟み込まれている。またスピーカ２２４の背面側には多少の空間２２８が形成されており、その空間２２８は組立体２２０の開口２２５（図１５参照）に繋がっておりその開口２２５は、もう１つの発音口２０３にが繋がっている。ここで、ガスケット２３２は、前述したとおり、スピーカ２２４の発音部２２４ａから発せられた音が周囲に洩れて発音口２０４から放たれる音声の音圧が下がったり耳障りな雑音が発生するのを防ぐためのものであるが、このガスケット２３２は、もう１つの役割り、すなわち、そのスピーカ２２４の発音部２２４ａから発せられた音がスピーカ２２４の背面側の空間２２８に回り込むのを防止する役割りを担っている。
【００７８】
スピーカ２２４からの音を発音部２２４ａの前面にのみ放つ構成の場合はその音が背面側の空間２２８に回り込んでも問題はなく、この場合ガスケット２３２は、スピーカ２２４の発音部２２４ａを取り巻く円環状の部分２３２ａのみ存在していればよい。これに対し、ここに示す構成は、スピーカ２２４の発音部２２４ａから前方に発せられる音を発音口２０４から放ち、一方そのスピーカ２２４の背面側で発せられる音を空間２２８を経由してもう１つの発音口２０３から放つ構成である。ここでスピーカ２２４の発音部２２４ａから前方に発せられる音声とスピーカ２２４の背面から空間２２８に発せられる音声は互いに逆位相であり、発音部２２４ａから発せられた音声が空間２２８に回り込むと互いにキャンセルされることになる。スピーカ２２４の背面から空間２２８内に発せられる音声はもともと音圧がそれほど高くなく、この音声が更にキャンセルされると発音口２０３からは不充分な音圧の音声しか得られない結果となる。ここでは、ガスケット２３２に、円環状の部分２３２ａだけでなく矩形状の部分２３２ｂを設けることにより、スピーカ２２４の発音部２２４ａから発せられた音声がスピーカ２２４の背面側の空間２２８に回り込むのを防止したため、スピーカ２２４の背面側にある発音口２０３からも十分な音圧の音声が放たれる。
【００７９】
図２１は、下側筐体２００（図１，図２参照）を構成する内側カバー２１０（図５，図６参照）をさらに分解して示した図である。
【００８０】
この内側カバー２１０は、各押ボタンに相当する部分に穴２１９が設けられたフレーム２１０Ａと、各穴２１９に対応する箇所が突出した形状に形成された硬質材料からなる押ボタンを有するとともにそれらの押ボタンが軟質のシートで繋がれた形状の押ボタンシート２１０Ｂとで構成されている。この軟質シートは半透明材料からなり、押ボタンには光を散乱透過する材料が用いられている。この押ボタンシート２１０Ｂは、図２１に矢印で示すように、この図２１に示す面が、フレーム２１０Ａの、この図２１に示す面に接する向きにフレーム２１０Ａに重ねられ、フレーム２１０Ａの各穴２１９に押ボタンシート２１０Ｂの各押ボタン２０１が嵌め込まれる。
【００８１】
またフレーム２１０Ａには、図１に示す送話口２０２の裏側の位置に、小型のマイクロホン２１４が備えられている。
【００８２】
また、フレーム２１０Ａの内面には、遮光壁２１７，２１８が貼付されている。
【００８３】
また、押ボタンシート２１０Ｂには遮光壁２１８に対応する箇所に長孔２１５およびスリット２１６が形成されている。
【００８４】
図２２は、押ボタンシート２１０Ｂをフレーム２１０Ａに重ねた状態の、内側カバー２１０の内面を示す図である。
【００８５】
遮光壁２１８は、多数の押ボタン１０２のうち通話ボタン２１０ａを取り巻く位置に設けられており、また、遮光壁２１９は、組立体２２０（図１５参照）に設けられた遮光壁２２３と共同してもう１つの通話ボタン２０１ｂを取り巻く位置に設けられている。
【００８６】
遮光壁２１８は、図１５に示す組立体２２０上の多数のＬＥＤ２２２のうち１つのＬＥＤ２２２ａが発光して通話ボタン２０１ａのみを点灯させた際にそのＬＥＤ２２２ａからの光が洩れて通話ボタン２０１ａ以外の押ボタンを点灯させるのを防ぐためのものである。
【００８７】
また、遮光壁２１９は、組立体２２０（図５参照）に設けられた遮光壁２２３と共同して、通話ボタン２０１ｂを取り巻き、図５に示す組立体２２０上の多数のＬＥＤ２２２のうちの２つのＬＥＤ２２２ｂのみが発光して通話ボタン２０１ｂのみを点灯させたときにその通話ボタン２０１ｂ以外の押ボタンへの光の洩れを防ぐためのものである。
【００８８】
また前述したように、組立体２２０上の、ＬＥＤ２２０ａ，２２０ｂを除く多数のＬＥＤ２２０を一斉に発光させると、押ボタンシート２１０Ａに並んだ、２つの通話ボタン２０１ａ，２０１ｂを含む多数の押ボタンが一斉に点灯する。
【００８９】
図２３は、下側筐体を示す平面図、図２４は図２３に示す矢印Ａ−Ａに沿う断面図、図２５は図２４に示す円Ｒ1の内部を拡大して示す部分拡大図、図２６は図２３に示す矢印Ｂ−Ｂに沿う断面図、図２７は図２６に示す円Ｒ2の内部を拡大して示す部分拡大図である。
【００９０】
図２５に示すＬＥＤ２２２ａのみが発光すると、通話ボタン２０１ａが点灯し、そのＬＥＤ２２２ａの光は遮光壁２１８で遮ぎられて他の押ボタンには伝わらず、通話ボタン２０１ａ以外の押ボタンは消灯したままとなる。
【００９１】
ここでは、通話ボタン２０１ａを取り上げて説明したが、もう１つの通話ボタン２０１ｂも同様である。
【００９２】
ここで通話ボタン２０１ａは、音声のみの通常の電話がかっかってきたときに点灯してその通話ボタン２０１ａを押すことによって通話が開始される押ボタンであり、もう１つの通話ボタン２０１ｂは、テレビ電話がかかってきたときに点灯してその通話ボタン２０１ｂを押すことによってテレビ電話による通話や画像通信が開始される押ボタンである。この携帯電話機のユーザは、電話がかかってきたとき、２つの通話ボタン２０１ａ，２０１ｂのうち点灯している通話ボタンを確認することによって音声のみの通常の電話がかかってきたのかあるいはテレビ電話がかかってきたのかを知ることができ、またどちらの通話ボタンを押せばよいのか知ることができる。また、折り畳んだ状態の携帯電話機を電話がかかってきたとき以外のタイミングで開くと全ての押ボタンが点灯し、暗い場所などでの操作の便が図られている。
【００９３】
尚、ここでは、本発明の携帯端末装置の一例として携帯電話機を取り上げて説明したが、本発明は、携帯電話機の電話機能を実現するための通信の仕様はどのようなものであってもよく、例えばＰＨＳ（Ｐｅｒｓｏｎａｌ  Ｈａｎｄｙ  Ｐｈｏｎｅ  Ｓｙｓｔｅｍ）等であってもよい。
【００９４】
また、ここでは、折り畳み式の携帯電話機を例に挙げて説明したが、本発明は折り畳み式の携帯電話機にのみ適用されるものではなく、その形態はどのようなものであってもよい。
【００９５】
さらに本発明は、外形上、携帯電話機の形態をなしているものにのみ適用されるものではなく、電話機能を備えた携帯端末装置であればどのようなものであってもよく、例えばＰＤＡ（Ｐｅｒｓｏｎａｌ  Ｄｉｇｉｔａｌ  Ａｓｓｉｓｔａｎｃｅ）や腕時計に類似した形状の携帯端末装置等であってもよい。
【図面の簡単な説明】
【００９６】
【図１】本発明の携帯端末装置の一実施形態である携帯電話機の外観を示す斜視図である。
【図２】本発明の携帯端末装置の一実施形態である携帯電話機の外観を示す斜視図である。
【図３】本発明の携帯端末装置の一実施形態である携帯電話機の外観を示す斜視図である。
【図４】本発明の携帯端末装置の一実施形態である携帯電話機の外観を示す斜視図である。
【図５】図１〜図４に示す携帯電話機の上側筐体の分解斜視図である。
【図６】図１〜図４に示す携帯電話機の上側筐体の分解斜視図である。
【図７】アウトカメラとアウトカメラホルダを示す斜視図である。
【図８】アウトカメラおよびアウトカメラホルダからなるカメラ組立体と回路基板とを示す斜視図である。
【図９】回路基板上に配置されたカメラ組立体を示す平面図である。
【図１０】図９に示す矢印Ｂ−Ｂに沿う断面図である。
【図１１】カメラ組立体が搭載された状態の回路基板とその回路基板が固定されるシャーシを示す図である。
【図１２】シャーシに回路基板を搭載した組立体の斜視図である。
【図１３】図５，図６に示す組立体の、内側カバー側を向いた面を示す平面図である。
【図１４】図３に示す円Ａ内部の拡大平面図である。
【図１５】図１〜図４に示す携帯電話機の下側筐体の分解斜視図である。
【図１６】図１〜図４に示す携帯電話機の下側筐体の分解斜視図である。
【図１７】下側筐体を構成する外側カバーの内側の面を示す平面図である。
【図１８】下側筐体を示す平面図である。
【図１９】図１８に示す矢印Ａ−Ａに沿う断面図である。
【図２０】図１８に示す矢印Ｂ−Ｂに沿う断面図である。
【図２１】下側筐体を構成する内側カバーをさらに分解して示した図である。
【図２２】押ボタンシートをフレームに重ねた状態の内側カバーを示す図である。
【図２３】下側筐体を示す平面図である。
【図２４】図２３に示す矢印Ａ−Ａに沿う断面図である。
【図２５】図２４に示す円Ｒ1の内部を拡大して示す部分拡大図である。
【図２６】図２３に示す矢印Ｂ−Ｂに沿う断面図である。
【図２７】図２６に示す円Ｒ2の内部を拡大して示す部分拡大図である。
【符号の説明】
【００９７】
１０    携帯電話機
１００    上側筐体
１０１    表示窓
１０２    押ボタン
１０３    受話口
１０４    撮影窓
１０５    表示窓
１０６    撮影窓
１０７    点灯部
１１０    内側カバー
１２０    組立体
１２１    液晶表示画面
１２２    接点
１２３    レシーバ
１２４    インカメラ
１２５    液晶表示画面
１２６    アウトカメラ
１２７    ＬＥＤ
１３０    外側カバー
１４０    カメラ組立体
１５０    アウトカメラホルダ
１６０    回路基板
１６１    開口
１７０    シャーシ
１７８    庇部
１８８    コネクタ
１８９    リード線
２００    下側筐体
２０１    押ボタン
２０１ａ，２０１ｂ    通話ボタン
２０２    送話口
２０３    発音口
２０４    発音口
２０５    バッテリ収容部
２１０    内側カバー
２１０Ａ    通話ボタン
２１０Ｂ    通話ボタン
２１１    メッシュ
２１２    ガスケット
２１４    マイクロホン
２１８，２１９    遮光壁
２２０，２２１    組立体
２２２，２２２ａ，２２２ｂ    ＬＥＤ
２２３    遮光壁
２２４    スピーカ
２２７    スピーカ収容部
２２８    空間
２３０    外側カバー
２３１    メッシュ
２３２    ガスケット
２３３    開口
【図１】
2006060396.tif 000003
【図２】
2006060396.tif 000004
【図３】
2006060396.tif 000005
【図４】
2006060396.tif 000006
【図５】
2006060396.tif 000007
【図６】
2006060396.tif 000008
【図７】
2006060396.tif 000009
【図８】
2006060396.tif 000010
【図９】
2006060396.tif 000011
【図１０】
2006060396.tif 000012
【図１１】
2006060396.tif 000013
【図１２】
2006060396.tif 000014
【図１３】
2006060396.tif 000015
【図１４】
2006060396.tif 000016
【図１５】
2006060396.tif 000017
【図１６】
2006060396.tif 000018
【図１７】
2006060396.tif 000019
【図１８】
2006060396.tif 000020
【図１９】
2006060396.tif 000021
【図２０】
2006060396.tif 000022
【図２１】
2006060396.tif 000023
【図２２】
2006060396.tif 000024
【図２３】
2006060396.tif 000025
【図２４】
2006060396.tif 000026
【図２５】
2006060396.tif 000027
【図２６】
2006060396.tif 000028
【図２７】
2006060396.tif 000029